(57)【要約】      （修正有）【課題】容器内の飲料水を、磁石を付けた円筒形の中空管内での磁束中で往復運動させ活性化し、飲みやすくする飲料水磁化シェーカーを提供する。【解決手段】円筒形の中空管の中央部にリング状の磁石２を固定し、この中空管の左右に飲料水容器４の開口部４１との取付口３を設け、飲料水が入っている容器の開口部３１を中空管の左右の取付口３に取り付け、中空管を飲料水が入っている容器とともに左右に振ることにより、容器内の飲料水が中空管内を往復運動して飲料水を磁化するものである。【選択図】図４
0003178865.tif 000002
【実用新案登録請求の範囲】
【請求項１】
円筒形の中空管の中央部にリング状の磁石を固定し、この中空管の左右に飲料水容器の開口部との取付口を設け、飲料水が入っている容器の開口部を中空管の左右の取付口に取り付け、中空管を飲料水が入っている容器とともに左右に振ることにより、容器内の飲料水が中空管内を往復運動して飲料水を磁化する飲料水磁化シェーカー。
【請求項２】
円筒形の中空管について、リング状の磁石を固定する中央部の断面積を、飲料水容器の開口部との取付口の断面積より広くした請求項１の飲料水磁化シェーカー。
【請求項３】
円筒形の中空管の中央部に固定するリング状の磁石を複数とした請求項１又は請求項２のいずれかの飲料水磁化シェーカー。
【請求項４】
円筒形の中空管をプラスチック製とした請求項１から請求項３のいずれかの飲料水磁化シェーカー。
【考案の詳細な説明】
【技術分野】
【０００１】
本考案は、容器内の飲料水を磁化する飲料水磁化シェーカーに関する。
【背景技術】
【０００２】
酸素と水素の電気陰性度の違いは大きく、水は双極性分子と言われ、Ｈ(δ＋)とＯ（δ−）の相互作用による水素結合を有し、独自の性質を持っている。飲料水は、Ｆｅ、Ｃａ、Ｍｇ等のミネラル分を有し、ミネラル分の中には磁性体も含まれる。電磁誘導の法則により磁束内を導電体が動くときには起電力が生ずる。水も全くの絶縁体ではなく、またミネラル分が含まれ導電性を有し、磁束内での水の動きは何らかの影響を水に与えるものと考えられる。
【０００３】
永年排水処理等の設備を製造販売する会社を経営してきた本発明者は、磁石を付けた羽根を攪拌機に使用したとき、混合し難い液体同士が短時間で混合できることを目のあたりにして、未知な点は多いが、磁石は水に対して何らかの効果があるとの確信を持つようになり、磁石と水に関する特許出願もしてきた。さらに容器に入っている飲料水についても磁石の効果を生じさせる方法がないか思案してきた。容器に入っている飲料水に磁石の効果を生じさせるためには、飲料水が磁束の中を運動する必要がある。飲料水の中に単に磁石を放置したり、飲料水の周りに磁石を設置するだけでは、電磁誘導の効果は期待できないと考えられた。
【０００４】
飲料水と磁石に係る先行技術としては以下のようなものがある。ウォーターサーバーを改良して、飲料水を一層美味しくするとともに、含有されているミネラル分の消化吸収を良くするため、冷水蛇口及び／又は温水蛇口に接続されている給水管の周囲に環状永久磁石を設けて、飲料水に磁界を作用させ、飲料水の水分子の水素結合が弱められて口あたりが良くなり、爽やかでまろやかな美味しい水になるとする（特許文献１）、一般の家庭で手軽に酒、飲料水等の飲料のうまみと質の向上を実現することができることを目的として、格子状の磁石と、蓋を有する筒状体とで構成し、筒状体の内部中央に、格子状の磁石をその面が筒状体の軸線と直交するようにして固定する酒、飲料水等の飲料磁化処理具（特許文献２）、水道水を飲料水として最適なものに変ることが可能な飲料水用容器として、飲料水を収容・保存する容器本体と、上記容器本体の外周部の任意の位置に取り付けられた磁石とを具備する飲料水用容器（特許文献３）が見受けられる。また、ペットボトルを使用する先行技術として、ペットボトルの様な容器に飲用に供する液体が既に充填されている場合において容器内部の液体は，自己の温度差などによる対流，或いは，外部からの力によって生じる流動が起こる。容器内部の液体の流動に対して磁界が形成される様に単数又は複数の磁石を配置ペットボトル等の容器に，単数又は複数の磁石を有する流体イオン化装置を装着する流体イオン化装置（特許文献４）がある。
【０００５】
前述の各先行技術は、水の自然の流れに任せて磁束内で水を磁化するだけであり、電磁誘導の原則である電導体の移動あるいは磁束の変化を積極的に作り出しているものではなく、その効果に疑問がある。そこで、本考案者は、容器内に充填されている飲料水を積極的に磁束内で移動させ、飲料水を磁化し、美味しい水とする飲料水用磁化シェーカーを思いついた。
【先行技術文献】
【特許文献】
【０００６】
【特許文献１】特開２００７−２１０６６７号公報
【特許文献２】実用新案登録公報  第３００９７６０号公報
【特許文献３】特開平１０−２３６４５２号公報
【特許文献４】特開２００４−８９８９５号公報
【考案の概要】
【考案が解決しようとする課題】
【０００７】
本考案の解決しようとする課題は、容器内の飲料水を磁束中で往復運動させ活性化することを目的とした飲料水磁化シェーカーを提供するものである。
【課題を解決するための手段】
【０００８】
すなわち、第１考案は、円筒形の中空管の中央部にリング状の磁石を固定し、この中空管の左右に飲料水容器の開口部との取付口を設け、飲料水が入っている容器の開口部を中空管の左右の取付口に取り付け、中空管を飲料水が入っている容器とともに左右に振ることにより、容器内の飲料水が中空管内を往復運動して飲料水を磁化する飲料水磁化シェーカーである。
【０００９】
円筒形の中空管としたのは、飲料水容器の開口部、すなわち飲料水容器の出入口は円形であり、これに合わせるためであり、また円筒形にして飲料水の往復運動を円滑にするためである。磁石は、外部から磁場や電流の供給を受けることなく磁石としての性質を比較的長期にわたって保持し続ける永久磁石を意味し、アルニコ磁石、フェライト磁石、ネオジム磁石などがある。また磁石を粉末にして混ぜ合わせ、ゴムなどと一緒に練ったプラスチック磁石を使用してもよい。これらの磁石は、市販品で足りる。リング状の磁石としたのは、リング内の磁束中を飲料水に往復運動させるためである。
【００１０】
リング状の磁石を固定する方法としては、２つの半円状の磁石を中空管の外側にボルト・ナットの取付具により締付け固定する、あるいは中空管の内側に接着剤により張り付けて固定する方法等があるが、飲料水に有害物が溶出しない方法であれば、磁石の固定方法は問わない。
【００１１】
飲料水が入っている容器を用意し、この開口部を中空管の左右の取付口に取り付ける。飲料水が入っている容器であっても、容器内には、空洞部が必ずあり、中空管を飲料水が入っている容器とともに左右に振ることにより、容器内の飲料水が中空管内を通して往復運動して磁化される。なお、２つの容器の内、１つの容器には飲料水の入っていない空の容器を用意して、中空管を左右に振ることにより、より激しく往復運動ができることになる。
【００１２】
前述したように、水は水素結合を有し独自の性質を持っている。飲料水は、Ｆｅ、Ｃａ、Ｍｇ等のミネラル分を有し、ミネラル分の中には磁性体も含まれる。電磁誘導の法則により磁束内を導電体が動くときには起電力が生ずる。水も全くの絶縁体ではなく、またミネラル分も含まれ導電性を有し、磁束内での水の運動により何らかの影響を水に与えるものと思われる。磁束内での導電体の動きにより、導電体に電流が発生することから推測されるものである。
このように、円筒形の中空管の中央部にリング状の磁石を固定し、この中空管の左右に飲料水容器の開口部を取り付け、中空管を飲料水が入っている容器とともに左右に振ることにより、容器内の飲料水がリング状の磁石が固定された中空管内を往復運動し、飲料水を磁化させる器具を飲料水磁化シェーカーとする。なお、左右に振ると表現しているが、上下に振ることも含まれる。
なお、学術的には不明な点もあるが、磁束中で水又は飲料水を運動させ何らかの影響を与えた飲料水を磁化水または磁化飲料水とする。
【００１３】
第２考案は、円筒形の中空管について、リング状の磁石を固定する中央部の断面積を、飲料水容器の開口部との取付口の断面積より広くした第１考案の飲料水磁化シェーカーである。
【００１４】
飲料水容器の開口部の断面積は小さく、リング状の磁石を固定する中央部を同じ断面積とした場合には、中空管を飲料水が入っている容器とともに左右に振っても、飲料水の往復運動は制限される。そこで、リング状の磁石を固定する中央部を広くして飲料水の往復運動をより効率化するものである。
【００１５】
第３考案は、円筒形の中空管の中央部に固定するリング状の磁石を複数とした第１考案又は第２考案のいずれかの飲料水磁化シェーカーである。
【００１６】
磁束の強度により導電体の発生電流は変化する。そこでリング状の磁石を複数円筒形の中空管の中央部に固定させ、この複数のリング状の磁石の磁束中を飲料水を往復運動させ効率よく、飲料水を磁気させる。
【００１７】
第４考案は、円筒形の中空管をプラスチック製とした第１考案から第３考案のいずれかの飲料水磁化シェーカーである。
【００１８】
飲料水の容器は、そのほとんどはＰＥＴ等のプラスチック製である。円筒形の中空管の左右の取付口に飲料水容器の開口部を取り付け、中空管を飲料水が入っている容器とともに左右に振ることにより磁化するものであり、飲料水磁化シェーカーは、軽量で所定の強度が必要である。更には、射出成型により安価で大量生産ができる。また、予めリング状の磁石を金型に挿入した後、射出成形することにより、円筒形の中空管の中央部にリング状の磁石を容易に固定することも可能となる。そこで、円筒形の中空管をプラスチック製とするものである。
【考案の効果】
【００１９】
第１考案では、磁束中を往復運動させることにより磁化飲料水とする器具を容易に提供できるものである。第２考案では、飲料水の往復運動をより効率化し、第３考案では、磁束をより強力にして、磁化飲料水を得ようとするものである。第４考案では、本考案品に適当な強度を与え、低コストで提供できるものである。  
【図面の簡単な説明】
【００２０】
【図１】図１は、飲料水磁化シェーカーの中央断面図である。
【図２】図２は、飲料水磁化シェーカーの外観図である。
【図３】図３は、飲料水容器の概略図である。
【図４】図４は、料水磁化シェーカーに飲料水容器を取付けた図である。
【考案を実施するための形態】
【００２１】
本考案の実施例を以下に示す。
【実施例１】
【００２２】
図１は、本考案の飲料水磁化シェーカー１の中央断面図であり、図２は外観図である。予めリング状の磁石２を金型に配置した後、射出成形して試作したものである。円筒形の中空管の中央部１１は、取付口３に比較し、その断面積を広くして、飲料水の往復運動ができやすいようにしている。リング状の磁石２は、直接飲料水と接しないように、内壁１２により隔てられている。飲料水容器を左右に取り付けて往復運動させるため強度を必要とし、材料としてポリカーボネートを使用した。しかし、材料はこれに限るものではない。
【００２３】
図３は、プラスチック製の一般的な飲料水容器の概略図であり、図４は飲料水容器４を飲料水磁化シェーカー１に取り付けた図である。取付口３には、ネジ谷３１が成形され、飲料水容器４の開口部４１を挿入し、開口部のネジ山４２と嵌合させ、飲料水が漏れないようにしている。
【産業上の利用可能性】
【００２４】
市販のプラスチック容器に入っている飲料水を容易に磁化させ、より飲料水を飲みやすくすることができ、その方法も簡単であることから需要が期待される。
【符号の説明】
【００２５】
１  飲料水磁化シェーカー  １１（飲料水磁化シェーカーの）中央部  
１２（飲料水磁化シェーカーの）内壁
２  磁石
３  取付口  ３１ネジ谷
４  飲料水容器  ４１（飲料水容器の）開口部  ４２（飲料水容器の開口部の）ネジ山  
【図１】
0003178865.tif 000003
【図２】
0003178865.tif 000004
【図３】
0003178865.tif 000005
【図４】
0003178865.tif 000006